(57)【要約】【課題】誤検知されにくいバッチカードの提供と、当該バッチカードを確実に検知するバッチカード検知装置を提供することを目的とする。【解決手段】最初に暗レベル閾値Ｙに満たない範囲の長さが設定値ｒ以上であることを判別する（Ｓ１）。この判別の結果、暗レベルの長さが設定値ｒ以上の場合には（Ｓ１のＹｅｓ）、明レベルＸを越す部分の数ＸＰを計数する。そのＸＰの値が６である場合には孔が6個検知できたとみなし、バッチカードであると判別し、排除券扱いにせずに紙葉類判別装置５側に搬送する。一方、ステップ１において、暗レベル閾値Ｙに満たない範囲の長さが設定値ｒ以上ない場合には、紙葉類Ｐが１枚であると判断し、当該紙葉類Ｐを紙葉類判別装置５側に搬送する。また、ステップＳ２において、孔の数ＸＰが設定値と一致しない場合には、紙葉類Ｐの重ね取りと判断して当該紙葉類Ｐを排除券扱いとし、排除券集積装置９に搬送する。【選択図】図１
2009187156.tif 000002
【特許請求の範囲】
【請求項１】
紙葉類及びこの紙葉類を区分するために挿入されたバッチカードからなる媒体が供給された供給部から１枚ずつ取り出して搬送し、前記紙葉類及びバッチカードを検知するバッチカード検知装置であって、
前記バッチカード検知装置は、
前記紙葉類及びバッチカードの搬送方向と交差する方向に配置した複数の光学センサと、
これら複数の光学センサの検知出力の平均値を時間軸に対して算出する平均値算出手段と、
前記複数の検知センサの検知出力の論理和を時間軸に対して算出する論理和算出手段と、
前記平均値算出手段によって算出された光学センサ平均出力が暗レベル閾値に満たない範囲の合計範囲を算出する合計範囲算出手段と、
前記合計範囲が所定の設定値を超える場合に前記媒体が重ね取りであると判別する重ね取り判別手段と、
前記論理和算出手段によって算出された光学センサ論理和出力が、明レベル閾値を超える部分の個数を計数する計数手段と、
この計数手段による計数値が前記バッチカードに設けた孔の数と一致する場合には前記バッチカードであると判別するバッチカード判別手段と、
を備えたことを特徴とするバッチカード検知装置。
【請求項２】
前記論理和算出手段は、
前記複数の光学センサ出力の、時間軸に対してその最大値を抽出して論理和出力を生成することを特徴とする請求項１記載のバッチカード検知装置。
【請求項３】
紙葉類及びこの紙葉類を区分するために挿入されたバッチカードからなる媒体が供給された供給部から１枚ずつ取り出して搬送し、前記紙葉類及びバッチカードを検知するバッチカード検知装置に用いられるバッチカードであって、
前記バッチカードの内部に前記バッチカード検知装置によって検知可能で、かつ点対称に配置された複数の孔が配置されていることを特徴とするバッチカード。
【発明の詳細な説明】
【技術分野】
【０００１】
本発明は、有価証券などの紙葉類を、バッチカードを用いて区分して判別処理する紙葉類処理装置に関し、特に、紙葉類処理装置に搭載されるバッチカード検知装置及びバッチカードに関する。
【背景技術】
【０００２】
有価証券などの紙葉類を処理する紙葉類処理装置は、一括して投入された紙葉類を一定間隔に１枚ずつ取り出して搬送し、紙葉類判別装置によって当該紙葉類の種類（券種）別、搬送方向判別、真偽判別（真券か偽券か）及び正損判別（再流通可能な正券か再流通不可能な損券か）を行い、この判別結果に基づいて紙葉類を区分し、施封装置又は集積装置などの処理装置に振り分けて処理する装置である。
【０００３】
この際、処理する紙葉類束（バッチ）ごとに処理可能な紙葉類処理装置では、小口のバッチ処理を行う場合、バッチ処理の単位ごとに紙葉類の最後にバッチカード（又は、ヘッダーカードともいう）を挿入し、区分して処理するバッチカード処理と称される方法が知られている（例えば、特許文献１参照）。なお、紙葉類の最初にダミーカードを用い、その後に処理する紙葉類を挿入し、最後にバッチカードを挿入して区分する方法もあるが、基本的には同様の方法である。
【０００４】
バッチカードは、処理する紙葉類と異なるため、後述する排除券扱いとなり、排除券集積部に集積される。その際、バッチカードの間に挟まれて集積された紙葉類が当該バッチ処理で排除された紙葉類であることがわかるようにする必要がある。そのため、このバッチカードは、他の紙葉類との区別ができるように特徴的な形態が施される（例えば、特許文献２参照）。
【０００５】
一方、紙葉類処理装置は、装置による誤判別防止、ジャム等障害防止のために、上記紙葉類判別装置による判別を行う前に、例えば、2枚取りなどの重ね取り・連れ取りなどの搬送異状が生じた紙葉類及びバッチカードを予め排除するセンサ（以下、Ｇ０センサと称する。）を備えている場合がある。
【０００６】
図１１に従来のバッチカード検知アルゴリズムの一例を示す。この方法は、Ｇ０センサとして光学センサ用い、当該光学センサ出力が暗レベル閾値に満たない合計範囲Ｎｎと設定値ｒを比較判別し（Ｓ１０）、この判別の結果、暗レベル閾値に満たない合計範囲Ｎｎが、設定値ｒを超える場合には、重ね取りをしているものと見なして排除券扱いにしている（Ｓ１１）。当然、暗レベル閾値に満たない合計範囲Ｎｎが設定値ｒ以下の場合には、正常な紙葉類又はバッチカードとしてこのＧ０センサでは排除せずに通過させている（Ｓ１２）。
【０００７】
このＧ０センサを備えている場合には、当該Ｇ０センサによって正常搬送された紙葉類及びバッチカードが排除されないようにする必要がある。それは、バッチカードの目的が、バッチカードが当該バッチ処理の最後に搬送されるカードであり、当該バッチ処理中に排除券集積部に集積された排除券の上に確実に集積されることにより、他のバッチによる排除券と区別することを目的にしていることによる。
【特許文献１】特開２００６−９９３９１号公報  （第５−６頁、図１）
【特許文献２】特開２００７−１４０９４０号公報  （第６頁、図６）
【発明の開示】
【発明が解決しようとする課題】
【０００８】
しかしながら、従来のＧ０センサを備えた紙葉類処理装置において、Ｇ０センサがバッチカードを例えば２枚取りの紙葉類に誤検知し、搬送異状券として排除してしまう場合がある。この場合は、バッチカードの前に搬送された紙葉類が上記紙葉類判別装置による判別を行うため、又は判別結果に基づく集積を行うために搬送路上にあるにも係らず、最後に搬送されたバッチカードが排除券集積装置に集積されてしまい、排除券の入り繰りが発生してしまうという課題があった。
【０００９】
本発明は、上記課題を解決するためになされたもので、バッチカードに対する誤検知されにくいバッチカードの提供と、当該バッチカードを確実に検知するバッチカード検知装置を提供することを目的とする。
【課題を解決するための手段】
【００１０】
上記目的を達成するために、本発明の請求項１記載のバッチカード検知装置は、紙葉類及びこの紙葉類を区分するために挿入されたバッチカードからなる媒体が供給された供給部から１枚ずつ取り出して搬送し、前記紙葉類及びバッチカードを検知するバッチカード検知装置であって、前記バッチカード検知装置は、前記紙葉類及びバッチカードの搬送方向と交差する方向に配置した複数の光学センサと、これら複数の光学センサの検知出力の平均値を時間軸に対して算出する平均値算出手段と、前記複数の検知センサの検知出力の論理和を時間軸に対して算出する論理和算出手段と、前記平均値算出手段によって算出された光学センサ平均出力が暗レベル閾値に満たない範囲の合計範囲を算出する合計範囲算出手段と、前記合計範囲が所定の設定値を超える場合に前記媒体が重ね取りであると判別する重ね取り判別手段と、前記論理和算出手段によって算出された光学センサ論理和出力が、明レベル閾値を超える部分の個数を計数する計数手段と、この計数手段による計数値が前記バッチカードに設けた孔の数と一致する場合には前記バッチカードであると判別するバッチカード判別手段と、を備えたことを特徴とする。
【発明の効果】
【００１１】
本発明によれば、バッチカードに対する誤検知されにくいバッチカードの提供と、当該バッチカードを確実に検知するバッチカード検知装置及びバッチカードを提供することを目的とする。
【発明を実施するための最良の形態】
【００１２】
以下、図面を参照して本発明の実施例を説明する。
【実施例１】
【００１３】
図１は、本発明の実施例１に係るバッチカード検知装置を搭載した紙葉類処理装置１の概略系統図である。紙葉類処理装置１は、有価証券などの紙葉類Ｐの真偽（真券か偽券か）又は正損（再流通可能な正券か再流通不可能な損券か）を判別し、例えば正券は集積装置１（６ａ）・７ａに集積し、損券は集積装置３（８ａ）に集積し、２枚取り券などの搬送異状券及び異種券・判別不能券などの排除券は排除券集積装置９に集積される。
【００１４】
紙葉類処理装置１には、紙葉類Ｐ及びこの紙葉類Ｐを区分するために挿入されたバッチカードＢＣからなる媒体が集積された紙葉類束Ｓを供給する供給部２ａが設けられている。この供給部２ａに供給された紙葉類束Ｓの最上面の紙葉類Ｐから順番に一定間隔で１枚ずつ取出ロータ（取出手段）２ｂによって搬送路（搬送手段）３に取り出されて搬送される。
【００１５】
このようにして取り出された紙葉類Ｐは、バッチカード検知装置を構成する厚さ検知センサ（Ｇ０センサ）４によって媒体の搬送状態が検知される。この検知によって媒体の重ね取りなどの搬送異状が検知された場合、当該媒体は、紙葉類判別装置５の方向に搬送されず分岐ゲートＧ０を切り換えることによって排除券集積装置９側に搬送される。一方、上記搬送状態が正常である媒体は、紙葉類判別装置５側に搬送され、紙葉類Ｐの真偽、正損などが判別される。
【００１６】
紙葉類判別装置５による判別の結果、正券と判別された紙葉類Ｐ（以下、正券と称する。）は、区分ゲート０（Ｇ１）が切り換えられて集積装置１（６ａ）に集積される。この集積装置１（６ａ）に集積された正券が所定枚数（例えば、１００枚）に到達した場合、継続して集積される正券は、区分ゲートＧ１、Ｇ２が切換えられて集積装置２（７ａ）に集積される。この場合、集積装置１（６ａ）に集積された正券１００枚は当該集積装置１（６ａ）の下段に配置された施封装置１（６ｂ）によって施封される。集積装置２（７ａ）に集積された正券が所定枚数に到達した場合、継続して集積される正券は、区分ゲートＧ１が切換えられて集積装置１（６ａ）に集積される。集積装置２（７ａ）に集積された正券１００枚は、当該集積装置２（７ａ）の下段に配置された施封装置２（７ｂ）によって施封される。
【００１７】
また、紙葉類判別装置５による判別の結果、損券と判別された紙葉類（以下、損券と称する。）は、区分ゲートＧ３が切換えられて集積装置３（８ａ）に集積される。また、この集積装置３（８ａ）に集積された損券（例えば、１００枚）は、当該集積装置３（８ａ）の下段に配置された施封装置３（８ｂ）によって施封される。
【００１８】
図２は、供給部２ａに供給される紙葉類束Ｓを示す。この紙葉類束Ｓは、複数枚の紙葉類Ｐと、当該紙葉類Ｐの最下面に挿入したバッチカードＢＣで構成される。このように構成された紙葉類束Ｓの最上面の紙葉類Ｐから順番に取り出され、バッチカードＢＣは最後に取り出される。
【００１９】
図３は、本実施例１に係るバッチカードＢＣの一例である。バッチカードＢＣには、当該紙葉類束Ｓを区分するための個別情報が含まれる。この個別教法は、例えば、バーコード・模様・磁気情報などで、単独で又は組み合わされて使用される。
【００２０】
また、上記個別情報によって、バッチカードＢＣそのものが排除券集積装置９に集積された排除券を区分する役割をもっており、正しいタイミングで排除券集積装置９に集積される必要がある。
【００２１】
上記バッチカードＢＣを利用する利便性からは、当該バッチカードＢＣの搬送方向が表裏又は正逆の何れの方向に上記紙葉類束に挿入された場合であっても利用できることが望ましい。そのためには、バッチカード検知装置としての厚さ検知センサ４によって検知可能で、かつ、図示したように方向性に無関係な点対象形状が適している。本実施例１では、この対角線上に孔を設けた場合を示す。図４及び図５は、図３に示すバッチカードＢＣの他の一例である。この場合であっても、図３に示すバッチカードＢＣ同様の効果が得られる。
【００２２】
図６は、厚さ検知センサ４によるバッチカードＢＣの検知位置及び検知出力を示す。本実施例１の厚さ検知センサ４は、６個の光学センサＳ１〜Ｓ６で構成され、バッチカードＢＣの搬送方向に対して交差する方向に配置される。光学センサＳ１〜Ｓ６は、それぞれ投光器及び受光器を有して構成され、当該投光器と受光器との間を媒体が搬送される。
【００２３】
バッチカードＢＣは、当該厚さ検知センサ４によって確実に検知され、排除券扱いにならずに紙葉類判別装置５側に搬送される必要がある。以下、このバッチカードＢＣの検知方法を図６及び図７を用いて説明する。続いて、当該厚さ検知センサ４によって紙葉類Ｐが１枚の場合は通過（排除券にならず）、重ね取りした場合は排除券扱いになることを検証する。
【００２４】
図６（１）は、厚さ検知センサ４に対してバッチカードＢＣが図示矢印Ａ方向に搬送されたときの検知位置を破線で示す。図６（２）は、図６（１）に示す光学センサＳ１〜Ｓ６の光学センサ出力Ｓ１Ｏ〜Ｓ６Ｏを示す。この光学センサ出力Ｓ１Ｏ〜Ｓ６Ｏは、光学センサＳ１〜Ｓ６が当該バッチカードＢＣの孔を検知した部分は透過光量が大きいために光学センサ出力Ｓ１Ｏ〜Ｓ６Ｏが大きな値を示す。この図は、投光器受光器間の透過光量が媒体によって遮られないときに１００％と表示してある。これらの光学センサＳ１〜Ｓ６は同様に構成されており、これら光学センサＳ１〜Ｓ６によって検知されるバッチカードＢＣの孔も当該光学センサＳ１〜Ｓ６の検知範囲を通過するように搬送されるため、これら光学センサ検知出力Ｓ１Ｏ〜Ｓ６Ｏはほぼ同じ値になる。
【００２５】
このバッチカードＢＣを検知したときの光学センサ出力Ｓ１Ｏ〜Ｓ６Ｏの信頼性が高ければ安定した検知が可能である。
【００２６】
上述したように光学センサ論理和出力ＳＯ１〜ＳＯ６は同様に構成されているため、ここでは、光学センサ出力Ｓ１Ｏに付いて説明する。
【００２７】
光学センサ出力Ｓ１Ｏが暗レベル閾値Ｙ以下の範囲Ｎｎ（＝Ｎ１＋Ｎ２）が設定値ｒに対して下式（１）を満たすこと。この範囲Ｎｎは範囲の合計長さを所定の単位で計数することによって算出する。例えば、最小計数単位が１ｍｍの場合、Ｎｎ及びｒの値はＮｎ（ｍｍ）、ｒ（ｍｍ）となる。
【００２８】
Ｎｎ（＝Ｎ１＋Ｎ２）＞ｒ・・・・・・・（１）
Ｎｎ：光学センサ出力Ｓ１Ｏが暗レベル閾値Ｙ以下になる範囲の合計範囲（長さ）
ｒ：暗レベルの範囲の合計範囲（長さ）を判別する閾値
光学センサ出力Ｓ１Ｏが明レベル閾値Ｘに対して下式（２）を満たすことが望ましい。
【００２９】
Ｓ１Ｏ≧Ｘ・・・・・・・・・・・・・・（２）
ここで明レベル閾値Ｘは、孔を検知するときの許容される変動があっても、当該バッチカードＢＣを確実に検出可能なし閾値になるように設定される。
【００３０】
図７は、図６に示す厚さ検知センサ出力によるバッチカード検知方法を説明する図である。
【００３１】
図７（１）は、厚さ検知センサ４に対してバッチカードＢＣが図示矢印Ａ方向に搬送されたときの検知位置を破線で示しており、図６（１）と同様である。
【００３２】
図７（２）は、図６（２）に示す光学センサ出力Ｓ１Ｏ〜Ｓ６Ｏを時間軸ｔに対し、その平均値を算出して得られた光学センサ平均出力ＳＯａｖである。
【００３３】
ＳＯａｖ＝（１／６）・（Ｓ１Ｏ＋Ｓ２Ｏ＋Ｓ３Ｏ＋Ｓ４Ｏ＋Ｓ５Ｏ＋Ｓ６Ｏ）・・（３）
従来、この光学センサ平均出力ＳＯａｖによってバッチカードＢＣの判別を行っていた。判別方法は、上式（１）を用い、光学センサ出力Ｓ１Ｏが暗レベル閾値Ｙ以下の範囲Ｎｎ（＝Ｎ１）が設定値ｒに対し上式（１）を満たすかどうかで判別していた。図示した場合、Ｎ＝Ｎ１となるため、上式（１）は、下式（４）で示される。
【００３４】
Ｎｎ（＝Ｎ１）＞ｒ・・・・・・・・・（４）
上式（３）の場合には、即ち、バッチカードＢＣの孔部分を積極的に検知していないため、バッチカードＢＣの厚さが厚い場合には、孔部分の出力変化が相対的に低く、閾値Ｚ
を越す孔部分を確実に検出できない場合があり、この場合には、２枚取り（重ね取り）又は連れ取りした紙葉類と同様に判別され、排除券にしてしまう場合があった。また、この閾値Ｚを誤検知しにくい高いレベルに設定できないという課題があった。
【００３５】
一方、図７（３）は、図６（２）で示す光学センサ出力Ｓ１Ｏ〜Ｓ６Ｏの、時間軸ｔに対してその最大値を示す値をプロット（抽出）して生成した光学センサ論理和出力ＳＯである。すなわち、光学センサＳ１の孔部分の出力は図７（３）の１に対応し、同様に光学センサＳ２の孔部分の出力は同図の２に対応する。以下、同様に光学センサＳ６の出力は同図の６に対応する。このようにして、光学センサ論理和出力ＳＯは、光学センサ出力Ｓ１Ｏ〜Ｓ６Ｏを所謂オア（ＯＲ）にした出力波形である。
【００３６】
このようにして生成された光学センサ論理和出力ＳＯは、下式（５）、（６）によって判別される。
【００３７】
光学センサ論理和出力ＳＯが閾値Ｙ以下の範囲Ｎｎ（＝Ｎ１＋Ｎ２＋・・・＋Ｎ７）が設定値ｒに対して下式（５）を満たすこと。
【００３８】
Ｎｎ（＝Ｎ１＋Ｎ２＋・・・＋Ｎ７）＞ｒ・・・・・・・（５）
Ｎｎ：光学センサ論理和出力ＳＯが暗レベル閾値Ｙ以下になる範囲Ｎ１〜Ｎ７の合計範囲（長さ）
ｒ：暗レベルの範囲の合計範囲を判別する閾値
光学センサ論理和出力ＳＯが閾値Ｘを超える孔部分の個数がＸＰに対して下式（６）を満たすこと。
【００３９】
ＳＯ≧Ｘｐ・・・・・・・・・・・・・・（６）
Ｘｐ＝６
上述した方法によれば、バッチカードＢＣを安定して検知することができる。
【００４０】
次に、上述した厚さ検知センサ４が紙葉類Ｐを検知した場合の動作を図８及び図９を用いて説明する。
【００４１】
図８は、厚さ検知センサ４による紙葉類Ｐの検知位置及び検知出力の一例である。
【００４２】
図８（１）は、厚さ検知センサ４に対して紙葉類Ｐが図示矢印Ａ方向に搬送された場合の検知位置を破線で示す。
【００４３】
本実施例の厚さ検知センサ４は、上述したように、６個の光学センサＳ１〜Ｓ６で構成され、紙葉類Ｐの搬送方向に対して交差する方向に配置される。光学センサＳ１〜Ｓ６は、それぞれ投光器及び受光器を有して構成され、当該投光器と受光器との間を紙葉類Ｐが搬送される。このような配置にすることによって、紙葉類Ｐが図示矢印Ａ方向に搬送されたとき、図示破線で示す部分の紙葉類Ｐの厚さが検知される。
【００４４】
図８（２）は、図８（１）に示す光学センサＳ１〜Ｓ６の光学センサ出力Ｓ１Ｏ〜Ｓ６Ｏを示す。この光学センサ出力Ｓ１Ｏ〜Ｓ６Ｏは、透過光量を示しており、全く遮るものが無い場合は光学センサ出力が大きく、この値を１００％として表示している。従って、紙葉類の薄い部分、透かし部分又は印刷の薄い部分などは透過光量が多く、検知出力波形が大きい値を示す。
【００４５】
上記光学センサ出力Ｓ１Ｏ〜Ｓ６Ｏを用いて、上式（１）、（２）に基づいてバッチカードの判別を行うと、当該バッチカードは、明レベル閾値Ｘを越す部分がＸＰ個存在することはないため、バッチカードと判別されることはないが紙葉類が１枚であるのか重ね取りしたものかの判別は困難である。そこで、光学センサ出力Ｓ１Ｏ〜Ｓ６Ｏを用いて図９に示す方法によって紙葉類の重ね取りを判別する。なお、上述したように、この厚さ検知センサ４では、紙葉類Ｐの重ね取り（２枚取りを含む）された紙葉類が有る場合には、それを検知しこの厚さ検知センサ４によって排除券扱いにする必要がある。
【００４６】
図９は、図８に示す厚さ検知センサ出力による紙葉類Ｐの重ね取り検知方法を説明する図である。
【００４７】
図９（１）は、図８（１）と同じ図であり、厚さ検知センサ４に対して紙葉類Ｐが図示矢印Ａ方向に搬送された場合の検知位置を破線で示す。
【００４８】
図９（２）は、図８（２）に示す光学センサ出力Ｓ１Ｏ〜Ｓ６Ｏの時間軸ｔに対し、その平均値を算出して得られた光学センサ平均出力ＳＯａｖで、紙葉類Ｐが１枚の場合を示す。紙葉類が１枚の場合、光学センサ平均出力ＳＯａｖは、暗レベル閾値Ｙを超えており、２枚取りと判別されない。この結果、当該紙葉類Ｐは、紙葉類判別装置５側に搬送される。
【００４９】
図９（３）は、重ね取り（２枚取り）の場合の光学センサ平均出力ＳＯａｖを示す。この光学センサ平均出力ＳＯａｖの算出方法は、上記式（３）に示す通りである。この場合には、同図に示すように、光学センサ平均出力ＳＯａｖが暗レベル閾値Ｙ以下の部分が検出される。この場合、その検出幅Ｎ（＝Ｎ１＋Ｎ２＋Ｎ３＋Ｎ４）が設定値ｒを越す場合に重ね取り（２枚取りを含む）と判別される。
【００５０】
図１０は、上述したバッチカードＢＣの検知アルゴリズムである。この検知アルゴリズムは、厚さ検知センサ内に設けられたＣＰＵ（Central Processing Unit）によって実行され、その判別結果は、搬送制御部（図示しない）に通知される。搬送制御部は判別結果に基づいて区分ゲートＧ０を切換えることになる。
【００５１】
最初に光学センサ出力Ｓ１Ｏ〜Ｓ６Ｏの平均値である光学センサ平均出力ＳＯａｖを上記式（３）により算出する（平均値算出手段）。また、光学センサ出力Ｓ１Ｏ〜Ｓ６Ｏの論理和（ＯＲ）出力であるＳＯを算出する（Ｓ１、論理和算出手段）。
【００５２】
次に、上記光学センサ平均出力ＳＯａｖが暗レベル閾値Ｙに満たない暗レベル合計範囲ΣＮｎを上記式（４）で算出する（Ｓ２、合計範囲算出手段）。
【００５３】
次に、上記暗レベル合計範囲ΣＮｎと設定値ｒとを比較判別する（Ｓ３）。この判別の結果、暗レベル合計範囲ΣＮｎが設定値ｒ以下の場合は、少なくとも重ね取りではないため通過させる（Ｓ４、重ね取り判別手段）。
【００５４】
一方、暗レベル合計範囲ΣＮｎが設定値ｒを超える場合は、暗レベルの合計範囲が大きく、重ね取りの可能性又はバッチカードが厚い場合の可能性もあるため、ステップＳ５でバッチカードＢＣの判別を行う。ここでは、ステップＳ１で算出した光学センサ論理和出力ＳＯ１〜ＳＯ６の論理和（ＯＲ）出力ＳＯが明レベル閾値Ｘ以上である孔の数Ｘｐを計数する。即ち、ここでは図３に示す本実施例１のバッチカードＢＣには孔が６個あるため、この孔の数が６個に一致するか確認する（Ｓ５）。なお、上記論理和は、光学センサ論理和出力ＳＯ１〜ＳＯ６の、時間軸ｔに対してそのセンサ出力ＳＯ１〜ＳＯ６の中の最大値を示す値をプロットすすることにより論理和出力ＳＯがられる。
【００５５】
上記、バッチカードの孔の確認の結果、６個に一致しない場合には、バッチカードＢＣではないものとして排除する（Ｓ７）。
【００５６】
一方、ステップＳ５による確認の結果、６個の場合には、バッチカードＢＣが検知されたものとして通過させる。即ち、紙葉類判別装置側に搬送する（Ｓ８）。
【図面の簡単な説明】
【００５７】
【図１】本発明の実施例１に係るバッチカード検知装置を搭載した紙葉類処理装置の概略系統図。
【図２】図１に示す供給部に供給される紙葉類束の一例。
【図３】本実施例１に係るバッチカードの一例。
【図４】図３に示すバッチカードの他の一例（その１）。
【図５】図３に示すバッチカードの他の一例（その２）。
【図６】厚さ検知センサによるバッチカードの検知位置及び検知出力。
【図７】図６に示す厚さ検知センサ出力によるバッチカード検知方法を説明する図。
【図８】厚さ検知センサによる紙葉類の検知位置及び検知出力の一例
【図９】図８に示す厚さ検知センサ出力による紙葉類の重ね取り検知方法を説明する図。
【図１０】図６に示すバッチカードの検知アルゴリズム。
【図１１】従来のバッチカード検知アルゴリズム。
【符号の説明】
【００５８】
ＢＣ  バッチカード
Ｐ  紙葉類
Ｓ  紙葉類束
Ｇ０〜Ｇ３  区分ゲート０〜区分ゲート３
１  紙葉類処理装置
２ａ  供給部
２ｂ  取出ロータ
３  搬送路
４  厚さ検知センサ
５  紙葉類判別装置
６ａ〜８ａ  集積装置１〜集積装置３
６ｂ〜８ｂ  施封装置１〜施封装置３
５０２  操作表示部
【図１】
2009187156.tif 000003
【図２】
2009187156.tif 000004
【図３】
2009187156.tif 000005
【図４】
2009187156.tif 000006
【図５】
2009187156.tif 000007
【図６】
2009187156.tif 000008
【図７】
2009187156.tif 000009
【図８】
2009187156.tif 000010
【図９】
2009187156.tif 000011
【図１０】
2009187156.tif 000012
【図１１】
2009187156.tif 000013